(57)【特許請求の範囲】
【請求項１】
遊技盤面の略中央に役物または表示部を設けたパチンコ機において、
前記役物または表示部を構成しているフレームと、前記遊技盤面に配置される飾枠とを、これらの間に延在する橋架部分によって一体的に連続したものとして構成するとともに、
前記各橋架部分を位置決め部材として利用して、前記遊技盤面の前面側に固定するようにしたことを特徴とするパチンコ機のための装飾板。
【請求項２】
前記橋架部分に方向変換部を一体的に形成したことを特徴とする請求項１に記載のパチンコ機のための装飾板。
【請求項３】
前記方向変換部は、前記橋架部分の略中央部に形成してあることを特徴とする請求項２に記載のパチンコ機のための装飾板。
【請求項４】
前記方向変換部は、その上端がパチンコ球の進入を許容する開口となっているものであり、この開口の下方に、先端を前記遊技盤面の中央に向けて曲げた案内片を有しているものであることを特徴とする請求項２または請求項３に記載のパチンコ機のための装飾板。
【請求項５】
前記橋架部分上に一体化釘を一体的に形成したことを特徴とする請求項１〜請求項４のいずれかに記載のパチンコ機のための装飾板。
【請求項６】
前記一体化釘は、前記遊技盤面上に打ち込まれる各釘より径の太いものであることを特徴とする請求項５に記載のパチンコ機のための装飾板。
【発明の詳細な説明】
【０００１】
【産業上の利用分野】
本発明は、パチンコ機の遊技盤面上に取付けられる装飾盤に関するものである。
【０００２】
【従来の技術】
パチンコ機においては、その遊技の興趣を高めるために、パチンコ機の遊技盤面の略中央に、例えば「羽モノ」と言われている機械的または電気的に動く役物を配置したり、大当り状態等の種々の表示を行う表示部を設けたりしている。一方、遊技盤面の周囲には、例えば電球等の光を着色かつ点滅させながら前面に出し、大当り状態等にあるパチンコ機の装飾を行ってその遊技の興趣を高めるようにした飾枠が設けられている。これらの飾枠や、表示部あるいは役物フレームは、所定のゲージ構成で釘を多数打込んだ遊技盤面に別々の工程で取付けられるものである。
【０００３】
以上のようなパチンコ機における従来の構成をよく見てみると、非常に無駄が多く、問題があることに気付く。すなわち、本発明者の検討によると、
（１）フレームと飾枠とを完全に分離された別物にしておくと、その間の遊技盤面上に多数の釘を打ち込むゲージ構成としなければならなくなることはもとより、パチンコ機全体のデザイン統一が困難になる。
（２）役物等のフレームと飾枠間は、パチンコ球の流れを良くするために、遊技盤面がそのまま現れていた方がよい場合もあるが、これらの間に入賞口や入賞検知スイッチを設けるような盤面構成であれば、特にフレームと飾枠間を開ける必要がないだけでなく、これを積極的に利用しなければならない。
（３）フレームと飾枠との間が開いていると、パチンコ機自体の豪華さを十分確保できないだけでなく、その部分はパチンコ球が単に落下するだけの部分であるとの印象を遊技者に与えるのみで、パチンコ遊技の興趣がそがれることになる。といった点が問題視されたのである。
【０００４】
そこで、本発明者は、以上の点を改良すべく種々検討を重ねてきた結果、要するに、役物等のフレームと飾枠とを一体化すればよいことに気付き、本発明を完成したのである。
【０００５】
【発明が解決しようとする課題】
本発明は、以上のような実状に鑑みてなされたもので、その解決しようとする課題は、遊技盤面上の無駄や問題を解消することであり、そのために、遊技盤面の製造を簡単に行うことができ、さらにパチンコ遊技の興趣をより一層高めることのできるパチンコ機のための装飾板を提供することにある。
【０００６】
【課題を解決するための手段】
以上の課題を解決するために、本発明の採った手段は、実施例において使用する符号を付して説明すると、
「遊技盤面１０の略中央に役物または表示部２０を設けたパチンコ機１００において、
役物または表示部２０を構成しているフレーム２１と、遊技盤面１０に配置される飾枠３１とを、これらの間に延在する橋架部分３２によって一体的に連続したものとして構成するとともに、
各橋架部分３２を位置決め部材として利用して、遊技盤面１０の前面側に固定するようにしたことを特徴とするパチンコ機のための装飾板３０」
である。
【０００７】
すなわち、本発明に係る装飾板３０は、従来ではそれぞれ大きく離された別体のものとして形成されていた、役物または表示部２０におけるフレーム２１と、遊技盤面１０に設けられる飾枠３１とを、橋架部分３２によってそれぞれ連続した一体的なものとして形成したものである。そして、この装飾板３０は、各橋架部分３２を位置決め部材として利用することにより、遊技盤面１０の前面側に固定するようにしたものである。
【０００８】
また、請求項２に係る発明の採った手段は、上記請求項１のパチンコ機のための装飾板３０について、
「橋架部分３２に方向変換部３３を一体的に形成したこと」
であり、請求項３に係る発明の採った手段は、上記請求項２のパチンコ機のため装飾板３０について、
「方向変換部３３は、橋架部分３２の略中央部に形成してあること」
である。さらに、請求項４に係る発明の採った手段は、上記請求項２または請求項３のパチンコ機のため装飾板３０について、
「方向変換部３３は、その上端がパチンコ球の進入を許容する開口となっているものであり、この開口の下方に、先端を遊技盤面１０の中央に向けて曲げた案内片３３ａを有しているものであること」
である。
【０００９】
そして、請求項５に係る発明の採った手段は、上記請求項１〜請求項４のいずれかに記載のパチンコ機のための装飾板３０について、
「橋架部分３２上に一体化釘３４を一体的に形成したこと」
であり、請求項６に係る発明の採った手段は、上記請求項６のパチンコ機のため装飾板３０について、
「一体化釘３４は、遊技盤面１０上に打ち込まれる各釘１１より径の太いものであること」
である。
【００１０】
【発明の作用】
以上のように構成した本発明に係る装飾板３０の作用について説明すると、まずこの装飾板３０は、役物または表示部２０におけるフレーム２１と、遊技盤面１０に設けられる飾枠３１とを、これらのいずれか側に一体的に形成した各橋架部分３２を利用して一体的に連続したものとして形成されるものであるから、遊技盤面１０上の無駄や問題を解消しているだけでなく、パチンコ遊技の興趣をより一層高めているのである。
【００１１】
すなわち、もし、フレーム２１と飾枠３１とを完全に分離された別物にしておくと、その間の遊技盤面１０上に多数の釘１１を打ち込むゲージ構成としなければならなくなるのであるが、本発明の装飾板３０を採用したパチンコ機１００においては、フレーム２１と飾枠３１との間に橋架部分３２を積極的に存在させているのであるから、これらの間の釘１１が省略され、所謂盤面構成が簡略化されるのである。
【００１２】
特に、後述の実施例にて例示するように、各橋架部分３２を利用して遊技盤面１０に対する位置決めを行うことによりその固定作業を簡単にしたり、あるいはこれら各橋架部分３２を利用して方向変換部３３や入賞口３７または入賞検知スイッチを一体化したり（請求項２〜請求項４）、あるいはフレーム２１の近傍に一体化釘３４を形成するようにすれば（請求項５及び請求項６）ば、それまで遊技盤面１０上での各釘１１によるゲージ構成によって行ってきた盤面構成の一部を、当該装飾板３０によって代替させ得ることになり、遊技盤面１０側での盤面構成がより一層簡略化されることになるのである。換言すれば、この装飾板３０においては、これらフレーム２１と飾枠３１との間に入賞口や入賞検知スイッチを設けるような盤面構成とし得るものとなっているのであり、特にフレーム２１と飾枠３１間を開ける必要がないだけでなく、これを積極的に利用し得るものとなっているので ある。
【００１３】
さらに、この装飾板３０においては、役物または表示部２０におけるフレーム２１と、遊技盤面１０に設けられる飾枠３１とを、橋架部分３２によってそれぞれ連続した一体的なものとして形成したものであるから、これを使用したパチンコ機１００全体のデザイン統一が容易になっている。何故なら、もし、フレーム２１と飾枠３１とを完全に分離された別物にしておくと、その間の遊技盤面１０上に多数の釘１１を打ち込むゲージ構成としなければならず、あるいはフレーム２１と飾枠３１とを大きく引き離さなければならなくなって、遊技盤面１０上のデザイン統一が困難になるのであるが、本発明の装飾板３０では、フレーム２１と飾枠３１とを橋架部分３２によってそれぞれ連続したものとしているから、デザイン統一が容易になっているのである。
【００１４】
そして、もしフレーム２１と飾枠３１との間が開いていると、パチンコ機自体の豪華さを十分確保できないだけでなく、その部分はパチンコ球が単に落下するだけの部分であるとの印象を遊技者に与えるのみで、パチンコ遊技の興趣がそがれることになるのであるが、本発明の装飾板３０では、フレーム２１と飾枠３１とを橋架部分３２によってそれぞれ連続したものとしているから、後述の実施例にて例示するように、各橋架部分３２を利用して方向変換部３３（請求項２〜請求項４）や入賞口３７または入賞検知スイッチを一体化したりすれば、そのようなことはなくなるのである。
【００１５】
なお、この装飾板３０に対しては、例えば半透明で着色光を前面に透過するための着色板を飾枠３１に取付けたり、発光ダイオードや種々なスイッチ等のための配線をフレーム２１や装飾板３０に取付けなければならないが、それらの取付作業は、装飾板３０がフレーム２１と各飾枠３１とを一体化したものであることから容易に行える。何故なら、取付作業は、取付けるものの被取付部材に対する位置を相対的に決めてから行わなければならないが、本発明に係る装飾板３０はフレーム２１または各飾枠３１が橋架部分３２と一体化されて比較的大きなもの となっているから、その位置決めや取扱いを容易に行えるからである。
【００１６】
以上のような装飾板３０は、図１にも示すように、遊技盤面１０の前面側に固定されるのであるが、この固定作業は、従来ではフレーム２１と各飾枠３１とを大きく引き離して行っていたのに比較すれば格段に容易なものとなっている。まず、フレーム２１や飾枠３１が大きく離れていれば、その各遊技盤面１０に対する位置決めを個別に行わなければならないが、この装飾板３０の位置決めは、その全体が大きなものとなっていて、しかもフレーム２１または飾枠３１に一体化された橋架部分３２によって連続したものとされるのであることから、これら各橋架部分３２を位置決め部材として利用することにより簡単に行えるものである。この装飾板３０の取付そのものは、役物または表示部２０のフレーム２１や、各橋架部分３２の裏面に形成した突起３２ａを遊技盤面１０側の穴や溝に係合させてから、装飾板３０に形成してある取付穴３５に取付ネジを挿通して、この取付ネジを、各橋架部分３２を通して遊技盤面１０側にネジ込むことによって行われるのである。
【００１７】
【実施例】
次に、本発明を、図面に示した実施例に基づいて説明すると、図１には本発明に係る装飾板３０を使用したパチンコ機１００の正面図が示してあり、その遊技盤面１０の図示中央には役物または表示部２０が配置してある。
【００１８】
遊技盤面１０は、その前面の所定のゲージ構成に基づいて多数の釘１１や風車を打ち込むものであるから、合板によって形成したものであり、後述する装飾板３０側の入賞口３７または入賞検知スイッチとは別の入賞口１２または入賞検知スイッチが取付けられるものである。また、役物または表示部２０は種々なものが採用されるが、実施例では図柄等が変動表示される液晶モニター等の表示器を採用して当該パチンコ機１００による遊技の興趣を高めるものである。そして、このパチンコ機１００においては、役物または表示部２０で大当り状態となったり大当り状態等が表示されたときに、その興趣を高めるための飾枠３１が役物または表示部２０の左右両側に設けてあり、この飾枠３１にて着色光が点滅しながら発せられるようにしてあるものである。
【００１９】
以上の役物または表示部２０におけるフレーム２１と、各飾枠３１とは、図２に示すように、これらの内のいずれかに一体化された橋架部分３２によって、本発明に係る装飾板３０として一つにまとめられたものとなるものである。すなわち、装飾板３０は、遊技盤面１０上に配置・固定されたときに、役物または表示部２０を構成しているフレーム２１と、遊技盤面１０の左右両側に配置される飾枠３１とを、これらの間に延在する橋架部分３２によって連続した一体的なものとして構成したものである。そして、各橋架部分３２の裏面には、図２に示すように、突起３２ａが一体的に形成してあり、これらの突起３２ａやフレーム２１を遊技盤面１０に形成してある穴や溝に係合させることにより、当該装飾板３０の遊技盤面１０に対する位置決めが行えるものとしてある。
【００２０】
つまり、装飾板３０は、役物または表示部２０側のフレーム２１と各飾枠３１とを橋架部分３２によって連続したものとして遊技盤面１０上に取付られるものであり、橋架部分３２は、合成樹脂等を材料としてフレーム２１または各飾枠３１に一体成形したものである。図面に示した実施例では、橋架部分３２を各飾枠３１に一体的に形成した例が示してあるが、この橋架部分３２はフレーム２１側について一体的に形成して実施してもよいものである。勿論、各橋架部分３２の半分づつをフレーム２１及び各飾枠３１側にそれぞれ一体的に形成しておき、これらを互いに当接するように形成して実施してもよい。また、この装飾板３０の表面等には、全体を美しくするための塗装や、当該装飾板３０に組み込まれる発光ダイオードからの光を前方に反射させるためのメッキ等の種々な表面処理が施してあるものである。
【００２１】
本実施例に係る装飾板３０では、図２示したように、その各橋架部分３２の略中央部に方向変換部３３が一体的に形成してあり（請求項２及び請求項３）、これら各橋架部分３２は、フレーム２１と飾枠３１とを単に連続させるためだけのものではなく、方向変換部３３の形成場所ともしてあるのである。各方向変換部３３は、図２示したように、その上端がパチンコ球の進入を許容する開口となっているものであり、この開口の下方に、先端を遊技盤面１０の中央に向けて曲げた案内片３３ａを有しているものである（請求項４）。つまり、各方向変換部３３は、その上端開口から入ったパチンコ球を案内片３３ａによって案内させることにより、当該パチンコ球が遊技盤面１ ０の中央に進路変更されるようにしたものである。
【００２２】
勿論、これら各方向変換部３３に代えて、別の入賞口３７または入賞検知スイッチを、各橋架部分３２の略中央に設けるようにして実施してもよいものである。この入賞口３７または入賞検知スイッチを設ける場合には、上記の方向変換部３３とは異なって、遊技盤面１０側にパチンコ球通過のための開口を形成しなければならない場合もある。
【００２３】
なお、本実施例の橋架部分３２では、その上下両端に面取部３６が形成してあり、この面取部３６はフレーム２１側や飾枠３１側のそれと連続したものとしてある。これらの面取部３６は、橋架部分３２等が、その近傍を落下する、あるいは流れるパチンコ球の変則的な進路変更を無くすものであり、かつ装飾板３０を遊技盤面１０上に固定したときの密着性をよくするためのものである。
【００２４】
また、本実施例の装飾板３０では、図２に示したように、フレーム２１と方向変換部３３との間に位置する橋架部分３２上に、遊技盤面１０に打ち込まれる釘１１と同様の一体化釘３４が一体成形してある（請求項５）。これらの一体化釘３４は、上方から流れてきたパチンコ球を分散させるものであるが、遊技盤面１０上の各釘１１よりも径の太いものとすること（請求項６）により、その調整を全く不要にしているものである。それだけでなく、これら各一体化釘３４は、橋架部分３２に一体化されているものであるから、遊技者が一見するだけで、各一体化釘３４は調整不能なものであるとの認識ができるものとなっている。換言すれば、もし各一体化釘３４が釘１１であったとすると、当該パチンコ機１００の設置店側の恣意に基づいた調整が行えて、場合によってはパチンコ遊技の興趣がそがれることもあるが、橋架部分３２に固定的な一体化釘３４であればそのようなことは全くなくなるのである。
【００２５】
そして、この装飾板３０は、例えば取付ネジによって遊技盤面１０上の所定位置に取付けられるのであるが、その取付ネジを挿通するための取付穴３５が、図 ２に示したように、設けてあるのである。
【００２６】
なお、本実施例の装飾板３０においては、そのフレーム２１の上端に、遊技盤面１０上の入賞口１２または入賞検知スイッチとは別の入賞口３７または入賞検知スイッチが一体的に形成してあり、この入賞口３７または入賞検知スイッチを通過したパチンコ球はフレーム２１内に転動し得るようにしてある。
【００２７】
【発明の効果】
以上詳述した通り、本発明に係る装飾板３０によれば、上記実施例にて例示した如く、役物または表示部２０を構成するフレーム２１に対して、飾枠３１を橋架部分３２により連続したものに構成するとともに、各橋架部分３２を位置決め部材として利用して、遊技盤面１０の前面側に固定するようにしたことにその主たる構成上の特徴あり、これにより、遊技盤面上の無駄を無くすことができて、遊技盤面の製造を簡単に行うことができ、さらにパチンコ遊技の興趣をより一層高めることのできるパチンコ機のための装飾板を提供することができる。
【００２８】
すなわち、本発明の装飾板３０によれば、
（１）フレーム１２と飾枠３１とが橋架部分３２によって連続したものとなっているから、その間の遊技盤面１０上の釘１１を省略するゲージ構成とすることができて、パチンコ機１００全体のデザイン統一をも図ることができる。
（２）フレーム２１と飾枠３１との空間内に橋架部分３２を配置することができて、この橋架部分３２を利用することにより、方向変換部３３や、入賞口３７または入賞検知スイッチ等をさらに簡単に配置することができる。
（３）橋架部分３２によってパチンコ機１００自体の豪華さを十分確保することができ、パチンコ機１００での遊技の興趣を増大させることができる。
（４）各橋架部分３２に一体化釘３４を一体化することができ、その場合には、各一体化釘３４の調整を不要にすることができて、設置店側での釘調整作業を省略することができるだけでなく、遊技者への印象も良くすることができる。
（５）各橋架部分３２を位置決め部材として利用することにより、装飾板３０の遊技盤面１０の前面側に対する固定作業を格段に容易なものとすることができる。
といった優れた効果を発揮することができるのである。
【図面の簡単な説明】
【図１】本発明に係る装飾板を採用しているパチンコ機の正面図である。
【図２】同装飾板の拡大斜視図である。
【符号の説明】
１００  パチンコ機
１０  遊技盤面
１２  入賞口または入賞検知スイッチ
２０  役物または表示部
２１  フレーム
３０  装飾板
３１  飾枠
３２  橋架部分
３２ａ  突起
３３  方向変換部
３４  一体化釘
３５  取付穴
３６  面取部
３７  入賞口または入賞検知スイッチ
【図１】
0003738458.tif 000002
【図２】
0003738458.tif 000003